(57)【特許請求の範囲】
【請求項１】
第一回転機械が設置される第一設置領域と、第二回転機械が設置される第二設置領域と、前記第一設置領域と前記第二設置領域との水平方向の間に設けられる搬出入領域とを有する建屋本体と、
前記建屋本体内に配置されて、前記第一設置領域の上方及び前記搬出入領域の上方を走行可能な第一天井クレーンと、
前記建屋本体内に、前記第一天井クレーンに対して異なる高さ位置に配置されて、前記第二設置領域の上方及び前記搬出入領域の上方を走行可能な第二天井クレーンと、を備え、
前記第一天井クレーンは、前記第二設置領域を除いた領域の上方のみを走行可能とされているプラント建屋。
【請求項２】
第一回転機械が設置される第一設置領域と、第二回転機械が設置される第二設置領域と、前記第一設置領域と前記第二設置領域との水平方向の間に設けられる搬出入領域とを有する建屋本体と、
前記建屋本体内に配置されて、前記第一設置領域の上方及び前記搬出入領域の上方を走行可能な第一天井クレーンと、
前記建屋本体内に、前記第一天井クレーンに対して異なる高さ位置に配置されて、前記第二設置領域の上方及び前記搬出入領域の上方を走行可能な第二天井クレーンと、を備え、
前記第二天井クレーンは、前記第一設置領域を除いた領域の上方のみを走行可能とされているプラント建屋。
【請求項３】
前記第二天井クレーンは、前記第一設置領域を除いた領域の上方のみを走行可能とされている請求項１に記載のプラント建屋。
【請求項４】
前記第一回転機械は、第一軸線回りに回転可能な第一回転軸を有し、
前記第二回転機械は、前記第一軸線に対して平行かつ水平方向に離間して配置された第二軸線回りに回転可能な第二回転軸を有し、
前記第一天井クレーンは、前記第一回転軸に対して直交する水平方向に走行可能とされ、
前記第二天井クレーンは、前記第二回転軸に対して直交する水平方向に走行可能とされている請求項１から請求項３のいずれか一項に記載のプラント建屋。
【請求項５】
前記第一天井クレーンは、前記第一回転軸に対して直交する水平方向に延びる一対の第一走行レールを有し、
前記第二天井クレーンは、前記第二回転軸に対して直交する水平方向に延びる一対の第二走行レールを有し、
前記第一走行レールと前記第二走行レールとは、前記搬出入領域の上方において、鉛直方向にオーバーラップしている、請求項４に記載のプラント建屋。
【請求項６】
第一回転機械が設置される第一設置領域と、第二回転機械が設置される第二設置領域と、前記第一設置領域と前記第二設置領域との水平方向の間に設けられる搬出入領域とを有する建屋本体と、
前記建屋本体内に配置されて、前記第一設置領域の上方及び前記搬出入領域の上方を走行可能な第一天井クレーンと、
前記建屋本体内に、前記第一天井クレーンに対して異なる高さ位置に配置されて、前記第二設置領域の上方及び前記搬出入領域の上方を走行可能な第二天井クレーンと、を備え、
前記第一回転機械は、第一軸線回りに回転可能な第一回転軸を有し、
前記第二回転機械は、前記第一軸線に対して平行かつ水平方向に離間して配置された第二軸線回りに回転可能な第二回転軸を有し、
前記第一天井クレーンは、前記第一回転軸に対して直交する水平方向に走行可能とされ、
前記第二天井クレーンは、前記第二回転軸に対して直交する水平方向に走行可能とされ、
前記第一天井クレーンは、前記第一回転軸に対して直交する水平方向に延びる一対の第一走行レールを有し、
前記第二天井クレーンは、前記第二回転軸に対して直交する水平方向に延びる一対の第二走行レールを有し、
前記第一走行レールと前記第二走行レールとは、前記搬出入領域の上方において、鉛直方向にオーバーラップしているプラント建屋。
【請求項７】
前記第二天井クレーンは、前記第一天井クレーンより低い位置に配置され、
前記建屋本体は、
前記第一天井クレーンの上方に設けられた第一天井部と、
前記第二天井クレーンの上方で、前記第一天井部より低い位置に設けられた第二天井部とを有する請求項１から請求項６のいずれか一項に記載のプラント建屋。
【請求項８】
前記第一設置領域に設置された前記第一回転機械と、
前記第二設置領域に設置された前記第二回転機械と、
請求項１から請求項７のいずれか一項に記載のプラント建屋とを含むプラント。
【請求項９】
請求項１から請求項７のいずれか一項に記載のプラント建屋と、
前記第一設置領域に設置された前記第一回転機械であるガスタービンと、
前記第二設置領域に設置された前記第二回転機械である蒸気タービンと、
発電機とを含む別軸型のコンバインドサイクルプラント。
【請求項１０】
第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、
前記建屋本体内に配置されて、前記第一設置領域の上方を前記第一回転軸に対して直交する水平方向に走行可能な第一天井クレーンと、
前記建屋本体内における前記第一天井クレーンより低い位置に配置されて、前記第二設置領域の上方を前記第二回転軸に対して直交する水平方向に走行可能な第二天井クレーンと、
前記第一天井クレーンの上方に設けられた第一天井部と、
前記第二天井クレーンの上方で前記第一天井部より低い位置に設けられた第二天井部とを備え、
前記第一天井クレーンは、互いに平行な状態で前記第一回転軸に対して直交する水平方向に延びている一対の第一走行レールを有し、
前記第二天井クレーンは、互いに平行な状態で前記第二回転軸に対して直交する水平方向に延びている一対の第二走行レールを有し、
鉛直方向の上方から見た際に、前記第一走行レールと前記第二走行レールとは、前記第一走行レールが延びる方向において重なるように配置されているプラント建屋。
【請求項１１】
前記建屋本体は、内部に搬出入領域を有している請求項１０に記載のプラント建屋。
【請求項１２】
前記搬出入領域は、前記第一設置領域と前記第二設置領域との水平方向の間に設けられた領域である請求項１１に記載のプラント建屋。
【請求項１３】
第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、
前記建屋本体内に配置されて、前記第一設置領域の上方を前記第一回転軸に対して直交する水平方向に走行可能な第一天井クレーンと、
前記建屋本体内における前記第一天井クレーンより低い位置に配置されて、前記第二設置領域の上方を前記第二回転軸に対して直交する水平方向に走行可能な第二天井クレーンと、
前記第一天井クレーンの上方に設けられた第一天井部と、
前記第二天井クレーンの上方に設けられた第二天井部とを備え、
第一天井クレーンと第二天井クレーンとは鉛直方向にオーバーラップして走行可能であるプラント建屋。
【請求項１４】
第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、
前記建屋本体内に配置されて、前記第一設置領域の上方を前記第一回転軸に対して直交する水平方向に走行可能な第一天井クレーンと、
前記建屋本体内における前記第一天井クレーンより低い位置に配置されて、前記第二設置領域の上方を前記第二回転軸に対して直交する水平方向に走行可能な第二天井クレーンと、
前記第一天井クレーンの上方に設けられた第一天井部と、
前記第二天井クレーンの上方に設けられた第二天井部とを備え、
前記第一天井クレーンは、互いに平行な状態で前記第一回転軸に対して直交する水平方向に延びている一対の第一走行レールを有し、
前記第二天井クレーンは、互いに平行な状態で前記第二回転軸に対して直交する水平方向に延びている一対の第二走行レールを有し、
鉛直方向の上方から見た際に、前記第一走行レールと前記第二走行レールとは、前記第一走行レールが延びる方向において重なるように配置されているプラント建屋。
【発明の詳細な説明】
【技術分野】
【０００１】
本発明は、プラント建屋、プラント、及びコンバインドサイクルプラントに関する。
【背景技術】
【０００２】
発電プラントでは、ガスタービンや蒸気タービンやこれらに連結された発電機等の回転機械が建屋内に収容されている。例えば、特許文献１には、蒸気タービンとその端部に同軸的に連結された発電機とを有する発電設備を複数収容した火力発電プラントの建屋が開示されている。この建屋は、蒸気タービン部分を包囲する天井の高い高建屋部と、発電機部分を包囲する天井の低い低建屋部とによって構成されている。高建屋部には、平行レール式の天井クレーンが設けられている。低建屋部には、天井クレーンが設けられておらず、モノレールが設けられている。
【先行技術文献】
【特許文献】
【０００３】
【特許文献１】特開平９−７９００５号公報
【発明の概要】
【発明が解決しようとする課題】
【０００４】
このようなプラント建屋に配置された発電設備では、点検、修理、組み立て、分解等の作業を行う際に、天井クレーンによって構成部品の吊り上げ及び吊降ろしが行われる。天井クレーンの走行を妨げないために、プラント建屋は、発電設備の上方に空間を確保するように大きなサイズとなっている。
【０００５】
さらに、近年、プラント大型化に伴って発電設備の容量増大を図るために、ガスタービンや蒸気タービン等の複数の回転機械のサイズが大きくなっている。そのため、複数の回転機械を設置するプラント建屋自体もさらに大きなサイズとなっている。しかし、少しでもプラント建屋のサイズを低減したいという要望がある。
【０００６】
本発明は、上記要望に応えるためになされたものであって、サイズを低減することが可能なプラント建屋、プラント、及びコンバインドサイクルプラントを提供することを目的とする。
【課題を解決するための手段】
【０００７】
上記課題を解決するために、本発明は以下の手段を提案している。
本発明の第一の態様におけるプラント建屋は、第一回転機械が設置される第一設置領域と、第二回転機械が設置される第二設置領域と、前記第一設置領域と前記第二設置領域との水平方向の間に設けられる搬出入領域とを有する建屋本体と、前記建屋本体内に配置されて、前記第一設置領域の上方及び前記搬出入領域の上方を走行可能な第一天井クレーンと、前記建屋本体内に、前記第一天井クレーンに対して異なる高さ位置に配置されて、前記第二設置領域の上方及び前記搬出入領域の上方を走行可能な第二天井クレーンと、を備え、前記第一天井クレーンは、前記第二設置領域を除いた領域の上方のみを走行可能とされている。
【０００８】
このような構成によれば、搬出入領域を利用して第一回転機械の構成部品及び第二回転機械の構成部品を建屋本体から搬出または建屋本体へ搬入することができる。その結果、第一回転機械と第二回転機械とに対して、構成部品を搬出または搬入するための領域をそれぞれ別に建屋本体内に設ける場合に比べて、建屋本体の大きさを低減することができる。
【００１０】
このような構成によれば、第一天井クレーンの走行不要箇所を走行不可とすることで、プラント建屋における無駄なスペースを減らすことができる。
【００１１】
また、本発明の他の態様におけるプラント建屋では、前記第二天井クレーンは、前記第一設置領域を除いた領域の上方のみを走行可能とされていてもよい。
【００１２】
このような構成によれば、第二天井クレーンの走行不要箇所を走行不可とすることで、プラント建屋における無駄なスペースを減らすことができる。
【００１３】
また、本発明の他の態様におけるプラント建屋では、前記第一回転機械は、第一軸線回りに回転可能な第一回転軸を有し、前記第二回転機械は、前記第一軸線に対して平行かつ水平方向に離間して配置された第二軸線回りに回転可能な第二回転軸を有し、前記第一天井クレーンは、前記第一回転軸に対して直交する水平方向に走行可能とされ、前記第二天井クレーンは、前記第二回転軸に対して直交する水平方向に走行可能とされていてもよい。
【００１４】
このような構成によれば、建屋本体内のスペースを有効に利用することができる。したがって、プラント建屋のサイズをより低減することができる。
【００１５】
また、本発明の他の態様におけるプラント建屋では、前記第一天井クレーンは、前記第一回転軸に対して直交する水平方向に延びる一対の第一走行レールを有し、前記第二天井クレーンは、前記第二回転軸に対して直交する水平方向に延びる一対の第二走行レールを有し、前記第一走行レールと前記第二走行レールとは、前記搬出入領域の上方において、前記鉛直方向でオーバーラップしていてもよい。
【００１６】
また、本発明の他の態様におけるプラント建屋では、前記第二天井クレーンは、前記第一天井クレーンより低い位置に配置され、前記建屋本体は、前記第一天井クレーンの上方に設けられた第一天井部と、前記第二天井クレーンの上方で、前記第一天井部より低い位置に設けられた第二天井部とを有していてもよい。
【００１７】
このような構成によれば、第一回転機械側と第二回転機械側とで建屋本体の高さを変えることができる。これにより、建屋本体の鉛直方向の大きさが片方の回転機械の大きさに合わせて大きくなりすぎてしまうことを抑えることができる。
【００１９】
また、本発明の他の態様におけるプラントは、前記第一設置領域に設置された前記第一回転機械と、前記第二設置領域に設置された前記第二回転機械と、上記プラント建屋とを含む。
【００２０】
このような構成によれば、プラント建屋のサイズを小さくすることができるために、プラント全体としてのサイズの低減を図ることができる。
【００２１】
また、本発明の他の態様における別軸型のコンバインドサイクルプラントでは、上記プラント建屋と、前記第一設置領域に設置された前記第一回転機械であるガスタービンと、前記第二設置領域に設置された前記第二回転機械である蒸気タービンと、発電機とを含む。
【００２２】
また、本発明の他の態様におけるプラント建屋は、第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、前記建屋本体内に配置されて、前記第一設置領域の上方を前記第一回転軸に対して直交する水平方向に走行可能な第一天井クレーンと、前記建屋本体内における前記第一天井クレーンより低い位置に配置されて、前記第二設置領域の上方を前記第二回転軸に対して直交する水平方向に走行可能な第二天井クレーンと、前記第一天井クレーンの上方に設けられた第一天井部と、前記第二天井クレーンの上方で前記第一天井部より低い位置に設けられた第二天井部とを備え、前記第一天井クレーンは、互いに平行な状態で前記第一回転軸に対して直交する水平方向に延びている一対の第一走行レールを有し、前記第二天井クレーンは、互いに平行な状態で前記第二回転軸に対して直交する水平方向に延びている一対の第二走行レールを有し、鉛直方向の上方から見た際に、前記第一走行レールと前記第二走行レールとは、前記第一走行レールが延びる方向において重なるように配置されている。
【００２３】
このような構成によれば、第一回転機械側と第二回転機械側とで建屋本体の高さを変えることができる。これにより、建屋本体の鉛直方向の大きさが片方の回転機械の大きさに合わせて大きくなりすぎてしまうことを抑えることができる。
また、本発明の他の態様におけるプラント建屋では、前記建屋本体は、内部に搬出入領域を有していてもよい。
また、本発明の他の態様におけるプラント建屋では、前記搬出入領域は、前記第一設置領域と前記第二設置領域との水平方向の間に設けられた領域であってもよい。
また、本発明の他の態様におけるプラント建屋は、第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、前記建屋本体内に配置されて、前記第一設置領域の上方を前記第一回転軸に対して直交する水平方向に走行可能な第一天井クレーンと、前記建屋本体内における前記第一天井クレーンより低い位置に配置されて、前記第二設置領域の上方を前記第二回転軸に対して直交する水平方向に走行可能な第二天井クレーンと、前記第一天井クレーンの上方に設けられた第一天井部と、前記第二天井クレーンの上方に設けられた第二天井部とを備え、第一天井クレーンと第二天井クレーンとは鉛直方向にオーバーラップして走行可能であってもよい。
また、本発明の他の態様におけるプラント建屋は、第一軸線回りに回転可能な第一回転軸を有する第一回転機械が設置される第一設置領域と、前記第一軸線に対して平行かつ水平方向に離間して配置された第二軸線回りに回転可能な第二回転軸を有する第二回転機械が設置される第二設置領域と、を有する建屋本体と、前記建屋本体内に配置されて、前記第一設置領域の上方を前記第一回転軸に対して直交する水平方向に走行可能な第一天井クレーンと、前記建屋本体内における前記第一天井クレーンより低い位置に配置されて、前記第二設置領域の上方を前記第二回転軸に対して直交する水平方向に走行可能な第二天井クレーンと、前記第一天井クレーンの上方に設けられた第一天井部と、前記第二天井クレーンの上方に設けられた第二天井部とを備え、前記第一天井クレーンは、互いに平行な状態で前記第一回転軸に対して直交する水平方向に延びている一対の第一走行レールを有し、前記第二天井クレーンは、互いに平行な状態で前記第二回転軸に対して直交する水平方向に延びている一対の第二走行レールを有し、鉛直方向の上方から見た際に、前記第一走行レールと前記第二走行レールとは、前記第一走行レールが延びる方向において重なるように配置されていてもよい。
【発明の効果】
【００２４】
本発明によれば、プラント建屋のサイズを低減することができる。
【図面の簡単な説明】
【００２５】
【図１】本発明に係る第一実施形態におけるプラント建屋及び第一回転機械を上方から見た模式図である。
【図２】本発明に係る第一実施形態におけるプラント建屋及び第二回転機械を上方から見た模式図である。
【図３】本発明に係る第一実施形態におけるプラント建屋を側方から見た模式図である。
【図４】本発明に係る第二実施形態におけるプラント建屋を側方から見た模式図である。
【発明を実施するための形態】
【００２６】
《第一実施形態》
以下、本発明に係る第一実施形態について図１から図３を参照して説明する。
本実施形態のプラント１は、複数（本実施形態では二つ）の回転機械を備えている。本実施形態のプラント１は、第一回転機械２と、第二回転機械３と、プラント建屋４と、を備えている。
【００２７】
第一回転機械２は、図１及び図２に示すように、第一軸線Ｏ２回りに回転可能な第一回転軸２１ａを有する。本実施形態に第一回転機械２は、第一回転軸２１ａを有するガスタービン２１と、第一回転軸２１ａに接続された第一発電機２２とを有する。第一回転軸２１ａは、ガスタービン２１の圧縮機のロータとタービンのロータとが同一軸線を中心として回転するように相互に連結されたものである。第一回転軸２１ａは、第一発電機２２のロータと同一直線上に位置されて相互に連結されている。第一回転機械２は、メンテナンスに必要な後述する建屋本体５の床面からの鉛直方向Ｄｖの寸法として第一高さ寸法を有している。
【００２８】
なお、本実施形態では、第一軸線Ｏ２の延びる方向を軸線方向Ｄａと称し、第一軸線Ｏ２と直交する水平方向を直交方向Ｄｈと称する。
【００２９】
第二回転機械３は、第二軸線Ｏ３回りに回転可能な第二回転軸３１ａを有する。本実施形態の第二回転機械３は、第一回転機械２よりも鉛直方向Ｄｖ及び直交方向Ｄｈの大きさが小さい。第二軸線Ｏ３は、第一軸線Ｏ２に対して平行かつ水平方向に離間して配置されている。つまり、第二回転軸３１ａは、第一回転軸２１ａと同じ方向に延びている。第二回転軸３１ａは、第一回転軸２１ａに対して直交方向Ｄｈに離れて配置されている。第二回転機械３は、メンテナンスに必要な後述する建屋本体５の床面からの鉛直方向Ｄｖの寸法として第二高さ寸法を有している。本実施形態の第二高さ寸法は、第二回転機械３が第一回転機械２よりも小さいために、第一高さ寸法よりも小さくなっている。
【００３０】
本実施形態に第二回転機械３は、第二回転軸３１ａを有する蒸気タービン３１と、第二回転軸３１ａに接続された第二発電機３２とを有する。第二回転軸３１ａは、第二発電機３２のロータと同一直線上に位置されて相互に連結されている。
【００３１】
プラント建屋４は、複数（本実施形態では二つ）の回転機械を収容している。本実施形態のプラント建屋４は、第一回転機械２と、第二回転機械３とを覆っている。プラント建屋４は、建屋本体５と、第一天井クレーン６と、第二天井クレーン７と、を備えている。
【００３２】
建屋本体５は、第一回転機械２及び第二回転機械３を覆っている。建屋本体５は、第一設置領域５１と、第二設置領域５２と、搬出入領域５３とを有する。
【００３３】
第一設置領域５１は、建屋本体５の内部の第一回転機械２の少なくとも一部が設置される領域である。第一設置領域５１は、第一回転機械２のメンテナンスに必要な建屋本体５の床面からの空間である。第一設置領域５１の鉛直方向の高さは、第一回転機械２の第一高さ寸法よりも高く、後述する第一天井クレーン６が設置されている位置よりも低い。第一設置領域５１の軸線方向Ｄａ及び直交方向Ｄｈの幅は、第一回転機械２の軸線方向Ｄａ及び直交方向Ｄｈの幅よりも大きければよい。したがって、本実施形態の第一設置領域５１は、ガスタービン２１が設置された空間よりも大きな空間である。第一設置領域５１は、鉛直方向Ｄｖの上方から見た際に、第一軸線Ｏ２を直交方向Ｄｈの中心として水平方向に広がっている。
【００３４】
第二設置領域５２は、建屋本体５内部の第二回転機械３の少なくとも一部が設置される領域である。第二設置領域５２は、第二回転機械３のメンテナンスに必要な建屋本体５の床面からの空間である。第二設置領域５２の鉛直方向の高さは、第二回転機械３の第二高さ寸法よりも高く、後述する第二天井クレーン７が設置されている位置よりも低い。第二設置領域５２の軸線方向Ｄａ及び直交方向Ｄｈの幅は、第二回転機械３の軸線方向Ｄａ及び直交方向Ｄｈの幅よりも大きければよい。したがって、本実施形態の第二設置領域５２は、蒸気タービン３１が設置された空間よりも大きな空間である。第二設置領域５２は、鉛直方向Ｄｖの上方から見た際に、第二軸線Ｏ３を直交方向Ｄｈの中心として水平方向に広がっている。
【００３５】
搬出入領域５３は、第一設置領域５１と第二設置領域５２との水平方向の間に設けられる領域である。搬出入領域５３には、第一回転機械２も第二回転機械３も設置されない。搬出入領域５３は、第一回転機械２や第二回転機械３に対して点検、修理、組み立て、分解等の作業に、大型の構成部品を建屋本体５の内部に搬入叉は搬出するために必要な建屋本体５の床面からの空間である。搬出入領域５３は、建屋本体５内で第一設置領域５１及び第二設置領域５２に挟まれた空間である。搬出入領域５３は、建屋本体５の外部の搬出通路５５と繋がっている。
【００３６】
建屋本体５は、図３に示すように、第一回転機械２及び第二回転機械３の上方を覆う天井部５４を有している。本実施形態の建屋本体５は、天井部５４として、第一天井部５４１と、第二天井部５４２とを有する。
【００３７】
第一天井部５４１は、第一回転機械２の上方を覆っている。第一天井部５４１は、第一設置領域５１及び搬出入領域５３の上方を覆っている。第一天井部５４１は、第一天井クレーン６が設けられている。つまり、第一天井部５４１は、第一天井クレーン６の上方に設けられている。
【００３８】
第二天井部５４２は、第二回転機械３の上方を覆っている。第二天井部５４２は、第二設置領域５２のみの上方を覆っている。第二天井部５４２は、第一天井部５４１に対して異なる高さ位置に配置されている。具体的には、第二天井部５４２は、第一天井部５４１よりも鉛直方向Ｄｖの高さが低い位置に設けられている。第二天井部５４２は、第二天井クレーン７が設けられている。つまり、第二天井部５４２は、第二天井クレーン７の上方に設けられている。
【００３９】
第一天井クレーン６は、図２及び図３に示すように、建屋本体５内に配置されている。第一天井クレーン６は、第一設置領域５１の上方及び搬出入領域５３の上方を水平方向に走行可能とされている。
【００４０】
第一天井クレーン６は、第二設置領域５２を除いた領域の上方のみを走行可能とされており、かつ、第二設置領域５２よりも第一設置領域５１側の領域の上方のみを走行可能とされている。本実施形態の第一天井クレーン６は、第一設置領域５１の上方及び搬出入領域５３の上方のみを走行可能とされている。第一天井クレーン６は、直交方向Ｄｈ及び軸線方向Ｄａに走行可能とされている。第一天井クレーン６は、一対の第一走行レール６１と、第一ガータ６２と、第一ホイスト６３と、を有する。一対の第一走行レール６１は、建屋本体５の柱、壁、又は天井部等によって支持されている。
【００４１】
一対の第一走行レール６１は、互いに平行な状態で直交方向Ｄｈに延びている。一対の第一走行レール６１は、第一天井部５４１の軸線方向Ｄａの両側にそれぞれ設けられている。つまり、第一走行レール６１は、鉛直方向Ｄｖの上方から見た際に、第一設置領域５１及び搬出入領域５３に跨って延びており、軸線方向Ｄａに間隔を空けて配置されている。
【００４２】
第一ガータ６２は、一対の第一走行レール６１に跨るように軸線方向Ｄａに延びる梁部材である。第一ガータ６２は、ガスタービン２１の上方を含む領域を直交方向Ｄｈに第一走行レール６１に沿って走行可能とされている。第一ガータ６２は、軸線方向Ｄａの両端部がそれぞれ第一走行レール６１に走行可能に支持されている。
【００４３】
第一ホイスト６３は、ガスタービン２１の上方を含む領域を軸線方向Ｄａに第一ガータ６２に沿って走行可能とされている。第一ホイスト６３は、第一ガータ６２に対して走行可能に取り付けられている。第一ホイスト６３は、第一回転機械２の構成部品を吊り上げまたは吊降ろすための吊り具を有している。
【００４４】
第二天井クレーン７は、建屋本体５内における第一天井クレーン６に対して異なる高さ位置に配置されている。第二天井クレーン７は、第二設置領域５２の上方及び搬出入領域５３の上方を水平方向に走行可能とされている。
【００４５】
第二天井クレーン７は、第一設置領域５１を除いた領域の上方のみを走行可能とされており、かつ、第一設置領域５１よりも第二設置領域５２側の領域の上方のみを走行可能とされている。本実施形態の第二天井クレーン７は、第一設置領域５１の上方及び搬出入領域５３の上方のみを走行可能とされている。第二天井クレーン７は、直交方向Ｄｈ及び軸線方向Ｄａに走行可能とされている。第二天井クレーン７は、第一天井クレーン６よりも鉛直方向Ｄｖの位置が低い位置に配置されている。第二天井クレーン７は、一対の第二走行レール７１と、第二ガータ７２と、第二ホイスト７３と、を有する。一対の第二走行レール７１は、建屋本体５の柱、壁、又は天井部等によって支持されている。
【００４６】
一対の第二走行レール７１は、互いに平行な状態で直交方向Ｄｈに延びている。一対の第二走行レール７１は、第二天井部５４２の軸線方向Ｄａの両側にそれぞれ設けられている。つまり、第二走行レール７１は、鉛直方向Ｄｖの上方から見た際に、第二設置領域５２及び搬出入領域５３に跨って延びており、軸線方向Ｄａに間隔を空けて配置されている。第二走行レール７１は、搬出入領域５３の上方では、第一天井部５４１及び第二天井部５４２から離れて配置されている。これにより、第一走行レール６１と第二走行レール７１とは、搬出入領域５３の上方において、鉛直方向Ｄｖでオーバーラップしている。
【００４７】
第二ガータ７２は、一対の第二走行レール７１に跨るように軸線方向Ｄａに延びる梁部材である。第二ガータ７２は、蒸気タービン３１の上方を含む領域を直交方向Ｄｈに第二走行レール７１に沿って走行可能とされている。第二ガータ７２は、軸線方向Ｄａの両端部がそれぞれ第二走行レール７１に走行可能に支持されている。
【００４８】
第二ホイスト７３は、蒸気タービン３１の上方を含む領域を軸線方向Ｄａに第二ガータ７２に沿って走行可能とされている。第二ホイスト７３は、第二ガータ７２に対して走行可能に取り付けられている。第二ホイスト７３は、第二回転機械３の構成部品を吊り上げまたは吊降ろすための吊り具を有している。
【００４９】
上記のような実施形態のプラント１では、第一回転機械２や第二回転機械３に対して点検、修理、組み立て、分解等の作業を行う際に、対象となる第一回転機械２や第二回転機械３が停止される。
【００５０】
第一回転機械２に対して作業を行う際には、第一設置領域５１の上方及び搬出入領域５３の上方のみを直交方向Ｄｈ及び軸線方向Ｄａに走行可能な第一天井クレーン６を用いる。具体的には、第一回転機械２の構成部品は、第一天井クレーン６によって、吊り上げ及び吊降ろし等の作業が行われ、搬出入領域５３まで運ばれる。その結果、第一回転機械２の構成部品を、搬出入領域５３を介して搬出通路５５から建屋本体５の外部へ搬出したり、外部から搬入したりすることができる。
【００５１】
第二回転機械３に対して作業を行う際には、第二設置領域５２の上方及び搬出入領域５３の上方のみを直交方向Ｄｈ及び軸線方向Ｄａに走行可能な第二天井クレーン７を用いる。具体的には、第二回転機械３の構成部品は、第二天井クレーン７によって吊り上げ及び吊降ろし等の作業が行われ、搬出入領域５３まで運ばれる。その結果、第二回転機械３の構成部品を、搬出入領域５３を介して搬出通路５５から建屋本体５の外部へ搬出したり、外部から搬入したりすることができる。
【００５２】
つまり、搬出入領域５３を利用することで、第一回転機械２の構成部品及び第二回転機械３の構成部品を建屋本体５から搬出または建屋本体５へ搬入することができる。その結果、第一回転機械２と第二回転機械３とに対して、構成部品を搬出または搬入するための領域をそれぞれ別に建屋本体５内に設ける場合に比べて、建屋本体５の直交方向Ｄｈの大きさを低減することができる。
【００５３】
また、第一天井クレーン６よりも低い位置に第二天井クレーン７が配置されていることで、第一天井部５４１よりも第二天井部５４２を低く設けることができる。つまり、第一回転機械２側と第二回転機械３側とで建屋本体５の天井部５４の高さを変えることができる。したがって、天井部５４の鉛直方向Ｄｖの位置を第一回転機械２と第二回転機械３とにそれぞれ合わせることができる。これにより、建屋本体５の鉛直方向Ｄｖの大きさが片方の回転機械の大きさに合わせて大きくなりすぎてしまうことを抑えることができる。
これらにより、建屋本体５の直交方向Ｄｈ及び鉛直方向Ｄｖの大きさを低減し、プラント建屋４のサイズを低減することができる。
【００５４】
また、第一天井クレーン６は、第一設置領域５１の上方及び搬出入領域５３の上方のみを走行可能とされていることで、第二設置領域５２の上方を走行することができない。そのため、第二回転機械３の鉛直方向Ｄｖの大きさによらずに、第一回転機械２の鉛直方向Ｄｖの大きさに合わせて、第一天井部５４１の鉛直方向Ｄｖの位置を定めることができる。したがって、第一天井クレーン６の走行不要箇所を走行不可とすることで、プラント建屋４における無駄なスペースを減らすことができる。
【００５５】
同様に、第二天井クレーン７は、第二設置領域５２の上方及び搬出入領域５３の上方のみを走行可能とされていることで、第一設置領域５１の上方を走行することができない。そのため、第一回転機械２の鉛直方向Ｄｖの大きさによらずに、第二回転機械３の鉛直方向Ｄｖの大きさに合わせて、第二天井部５４２の鉛直方向Ｄｖの位置を定めることができる。したがって、第二天井クレーン７の走行不要箇所を走行不可とすることで、プラント建屋４における無駄なスペースを減らすことができる。
【００５６】
したがって、第一回転機械２と第二回転機械３とにそれぞれ合わせて、第一天井部５４１と第二天井部５４２とをそれぞれ独立して設けることができる。つまり、第一回転機械２と第二回転機械３とにそれぞれ合わせて、第一設置領域５１及び第二設置領域５２における建屋本体５の鉛直方向Ｄｖの位置を独立して設定することができる。これにより、プラント建屋４のサイズをより低減することができる。
【００５７】
また、第二設置領域５２が、第一軸線Ｏ２と第二軸線Ｏ３とが平行かつ水平方向に離間して配置されるように第一設置領域５１に対して直交方向Ｄｈに離れて設けられている。また、第一走行レール６１と第二走行レール７１とを搬出入領域５３の上方で鉛直方向Ｄｖにオーバーラップさせることができる。つまり、第一走行レール６１と第二走行レール７１とを、搬出入領域５３の上方で鉛直方向Ｄｖに離間させて配置することができる。言い換えると、鉛直方向Ｄｖの上方から見た際に、第一走行レール６１と第二走行レール７１とは、第一走行レール６１が延びる方向において重なるように配置されている。これにより、建屋本体５内のスペースを有効に利用することができる。したがって、第一回転機械２のみを対象とするように第一天井クレーン６を設け、第二回転機械３のみを対象とするように第二天井クレーン７を設けても、プラント建屋４のサイズをより低減することができる。
【００５８】
また、第一回転機械２と第二回転機械３とを直交方向Ｄｈに搬出入領域５３を挟んで離間させて配置させることができるため、第一回転機械２と第二回転機械３との間のスペースを搬出入領域５３として有効に利用することができる。
【００５９】
また、上記のようなプラント建屋４に第一回転機械２及び第二回転機械３を設置することで、プラント１全体としてのサイズの低減を図ることができる。
【００６０】
《第二実施形態》
次に、図４を参照して第二実施形態のプラントについて説明する。
第二実施形態においては第一実施形態と同様の構成要素には同一の符号を付して詳細な説明を省略する。この第二実施形態のプラントは、第一天井クレーン及び第二天井クレーンがオーバーラップしていない点で第一実施形態と相違する。
【００６１】
第二実施形態のプラント１Ａは、プラント建屋４Ａの構成が第一実施形態と異なっている。
プラント建屋４Ａは、図４に示すように、第一実施形態と同様に二つの回転機械を収容している。本実施形態のプラント建屋４Ａは、建屋本体５Ａと、第一天井クレーン６Ａと、第二天井クレーン７Ａと、を備えている。
【００６２】
建屋本体５Ａは、第一回転機械２及び第二回転機械３を覆っている。建屋本体５Ａは、第一設置領域５１と、第二設置領域５２とを有する。建屋本体５Ａは、第一回転機械２及び第二回転機械３の上方を覆う天井部５４Ａを有している。本実施形態の建屋本体５Ａは、天井部５４Ａとして、第一天井部５４１Ａと、第二天井部５４２Ａとを有する。
【００６３】
なお、第二実施形態の建屋本体５Ａでは、第一設置領域５１と第二設置領域５２との間に搬出入領域があることに限定されるものではない。例えば、第一設置領域５１の第二回転機械３が設置されていない側の空間を、点検、修理、組み立て、分解等の作業の際に、大型の構成部品を建屋本体５の内部に搬入叉は搬出するための空間としても良い。同様に、第二設置領域５２の第一回転機械２が設置されていない側の空間を、点検、修理、組み立て、分解等の作業の際に、大型の構成部品を建屋本体５の内部に搬入叉は搬出するための空間としても良い。
【００６４】
第一天井部５４１Ａは、第一回転機械２の上方を覆っている。第一天井部５４１Ａは、第一設置領域５１の上方から第一回転機械２と第二回転機械３との間の空間の上方までを覆っている。第一天井部５４１Ａは、第一天井クレーン６Ａが設けられている。つまり、第一天井部５４１Ａは、第一天井クレーン６Ａの上方に設けられている。
【００６５】
第二天井部５４２Ａは、第二回転機械３の上方を覆っている。第二天井部５４２Ａは、第二設置領域５２の上方から第一回転機械２と第二回転機械３との間の空間の上方までを覆っている。第二天井部５４２Ａは、第一天井部５４１Ａよりも鉛直方向Ｄｖの高さが低い位置に設けられている。第二天井部５４２Ａは、第二天井クレーン７Ａが設けられている。つまり、第二天井部５４２Ａは、第二天井クレーン７Ａの上方に設けられている。
【００６６】
第一天井クレーン６Ａは、建屋本体５Ａ内に配置されている。第一天井クレーン６Ａは、第一設置領域５１の上方を水平方向に走行可能とされている。第一天井クレーン６Ａは、一対の第一走行レール６１Ａと、第一ガータ６２と、第一ホイスト６３と、を有する。
【００６７】
一対の第一走行レール６１Ａは、互いに平行な状態で直交方向Ｄｈに延びている。一対の第一走行レール６１Ａは、第一天井部５４１Ａの軸線方向Ｄａの両側にそれぞれ設けられている。つまり、第一走行レール６１Ａは、鉛直方向Ｄｖの上方から見た際に、第一設置領域５１を横断するように延びており、軸線方向Ｄａに間隔を空けて配置されている。第一天井クレーン６Ａは、第一天井部５４１Ａの下方のみに配置されている。
【００６８】
第二天井クレーン７Ａは、建屋本体５内における第一天井クレーン６Ａより低い位置に設けられている。第二天井クレーン７Ａは、第二設置領域５２の上方を水平方向に走行可能とされている。第二天井クレーン７Ａは、第一天井クレーン６Ａよりも鉛直方向Ｄｖの位置が低い位置に配置されている。第二天井クレーン７Ａは、一対の第二走行レール７１Ａと、第二ガータ７２と、第二ホイスト７３と、を有する。
【００６９】
一対の第二走行レール７１Ａは、互いに平行な状態で直交方向Ｄｈに延びている。一対の第二走行レール７１Ａは、第二天井部５４２Ａの軸線方向Ｄａの両側にそれぞれ設けられている。つまり、第二走行レール７１は、鉛直方向Ｄｖの上方から見た際に、第二設置領域５２を横断するように延びており、軸線方向Ｄａに間隔を空けて配置されている。第二天井クレーン７Ａは、第二天井部５４２Ａの下方のみに配置されている。つまり、第二走行レール７１Ａは、第一走行レール６１Ａに対して鉛直方向Ｄｖでオーバーラップしないように設けられている。したがって、第二走行レール７１は、鉛直方向Ｄｖの上方から見た際に、第一走行レール６１Ａと水平方向の位置が重ならないように設けられている。
【００７０】
第二実施形態のプラント建屋４Ａによれば、第一天井クレーン６Ａよりも低い位置に第二天井クレーン７Ａが配置されていることに対応するように、第一天井部５４１Ａよりも第二天井部５４２Ａを低く設けることができる。つまり、第一回転機械２側と第二回転機械３側とで建屋本体５Ａの天井部５４Ａの高さを変えることができる。したがって、天井部５４Ａの鉛直方向Ｄｖの位置を第一回転機械２と第二回転機械３とにそれぞれ合わせることができる。これにより、建屋本体５Ａの鉛直方向Ｄｖの大きさが片方の回転機械の大きさに合わせて大きくなりすぎてしまうことを抑えることができる。
【００７１】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００７２】
なお、第一回転機械２は、ガスタービン２１を有することに限定されるものではなく、第一回転軸２１ａを有する回転機械であればよい。同様に、第二回転機械３は、蒸気タービン３１を有することに限定されるものではなく、第二回転軸３１ａを有する回転機械であればよい。したがって、本実施形態とは逆に第一回転機械２が蒸気タービン３１を有し、第二回転機械３がガスタービン２１を有していてもよい。また、第一回転機械２や第二回転機械３は、ポンプを有していてもよい。
【００７３】
また、第一実施形態のように、プラント建屋４は、第一天井部５４１の方が第二天井部５４２よりも鉛直方向Ｄｖの位置が高いことに限定されるものではなく、互いに異なる高さ位置に配置されていればよい。例えば、プラント建屋４は、第一天井クレーン６の方が第二天井クレーン７よりも鉛直方向Ｄｖに低い位置に配置されて、第一天井部５４１の方が第二天井部５４２よりも鉛直方向Ｄｖの位置が低い構造であってもよい。
【００７４】
上記の各実施形態においては、第一設置領域に設置される第一回転機械であるガスタービンと、第二設置領域に設置される第二回転機械である蒸気タービンと、ガスタービンに接続される第一発電機と、蒸気タービンに接続される第二発電機と、ガスタービンに接続される排熱回収ボイラーと、蒸気タービンに接続される復水器と、含む別軸型のコンバインドサイクルプラントとしてもよい。
【００７５】
また、第一回転機械を蒸気タービンとし、第二回転機械をガスタービンとしてもよい。その場合は、第一設置領域に設置される第一回転機械である蒸気タービンと、第二設置領域に設置される第二回転機械であるガスタービンと、蒸気タービンに接続される第一発電機と、ガスタービンに接続される第二発電機と、ガスタービンに接続される排熱回収ボイラーと、蒸気タービンに接続される復水器と、含む別軸型のコンバインドサイクルプラントとしてもよい。
【符号の説明】
【００７６】
１…プラント  ２…第一回転機械  ２１…ガスタービン  Ｏ２…第一軸線  ２１ａ…第一回転軸  ２２…第一発電機  ３…第二回転機械  ３１…蒸気タービン  Ｏ３…第二軸線  ３１ａ…第二回転軸  ３２…第二発電機  ４、４Ａ…プラント建屋  ５、５Ａ…建屋本体  ５１…第一設置領域  ５２…第二設置領域  ５３…搬出入領域  ５４、５４Ａ…天井部  ５４１、５４１Ａ…第一天井部  ５４２、５４２Ａ…第二天井部  ５６…搬出入口  ６、６Ａ…第一天井クレーン  ６１，６１Ａ…第一走行レール  ６２…第一ガータ  ６３…第一ホイスト  ７、７Ａ…第二天井クレーン  ７１，７１Ａ…第二走行レール  ７２…第二ガータ  ７３…第二ホイスト  Ｄｖ…鉛直方向  Ｄａ…軸線方向  Ｄｈ…直交方向
【図１】
0006713343.tif 000002
【図２】
0006713343.tif 000003
【図３】
0006713343.tif 000004
【図４】
0006713343.tif 000005